(57)【特許請求の範囲】
【請求項１】
螺旋状の歯を有する回転可能な雄ロータ及び雌ロータと、
前記雄ロータ及び前記雌ロータを互いに噛み合わせた状態で収納可能なボア、前記ボアに流体を吸入するための吸入ポート、及び前記ボアから圧縮された流体を吐出するための吐出ポートを有するケーシングと、を備え、
前記吐出ポートは、前記雄ロータ及び前記雌ロータの軸方向に開口して形成されたアキシャル吐出ポートを有し、
前記アキシャル吐出ポートの輪郭の一部が当該アキシャル吐出ポートの中央部に向けて突出するように延びた突起部が、前記ケーシングに形成されており、
前記アキシャル吐出ポートの輪郭のうちの前記突起部の先端の輪郭線は、前記雄ロータ側よりも前記雌ロータ側の方が、前記雄ロータの軸中心と前記雌ロータの軸中心とを結ぶ連結直線に対して近付くように傾斜していることを特徴とするスクリュー圧縮機。
【請求項２】
前記突起部の先端の輪郭線は、前記雄ロータ側よりも前記雌ロータ側の方が前記連結直線に対して近付くように傾斜する直線であることを特徴とする請求項１に記載のスクリュー圧縮機。
【請求項３】
前記突起部の先端の輪郭線は、前記雄ロータの回転方向と逆方向側の歯面である雄ロータ後進面、又は前記雄ロータ後進面に対向し得る前記雌ロータの歯面である雌ロータ後進面の、吐出側端縁の歯形形状を呈することを特徴とする請求項１に記載のスクリュー圧縮機。
【請求項４】
前記突起部の先端の輪郭線は、前記雄ロータと前記雌ロータとの吐出側端面における前記連結直線上の噛合い位置から前記雄ロータの回転方向に対して前記雄ロータの回転角度が−１８°〜−７°の位置にある、前記雄ロータの回転方向と逆方向側の歯面である雄ロータ後進面、又は前記雄ロータ後進面に対向し得る前記雌ロータの歯面である雌ロータ後進面の、吐出側端縁の歯形形状の集合により規定される範囲内に存在することを特徴とする請求項１乃至請求項３のいずれか一項に記載のスクリュー圧縮機。
【発明の詳細な説明】
【技術分野】
【０００１】
本発明は、スクリュー圧縮機に関し、特に、スクリュー圧縮機のアキシャル吐出ポートの形状に関する。
【背景技術】
【０００２】
スクリュー圧縮機は、螺旋状の歯を有する雄ロータ及び雌ロータを備えており、これらは、互いに噛み合った状態でケーシングのボアに収納されている。ケーシングには、ボアに流体を吸入するための吸入ポートと、ボアから圧縮された流体を吐出するための吐出ポートが形成されており、吐出ポートは、軸方向に開口して形成されたアキシャル吐出ポートを有している。
【０００３】
このようなスクリュー圧縮機では、圧縮空気の吐出が終了し、雄ロータと雌ロータとの吐出側端面における噛合いが外れる過程で、噛み合った雄ロータの歯面と雌ロータの歯面との間に、吐出室側と吸入室側とを連通する漏洩隙間（以下、「アキシャル連通路」ともいう）が生じる。このアキシャル連通路を塞ぐために、アキシャル吐出ポートの輪郭の一部が当該アキシャル吐出ポートの中央部に向けて突出するように延びた突起部がケーシングに形成されている（特許文献１，２参照）。
【先行技術文献】
【特許文献】
【０００４】
【特許文献１】特開昭５６−１６５７９０号公報
【特許文献２】特開２０１１−２７０２８号公報
【発明の概要】
【発明が解決しようとする課題】
【０００５】
ところで、前記特許文献１，２に記載のスクリュー圧縮機における前記突起部の突出長さは、アキシャル連通路を塞ぐためだけであれば大きい方が好ましいが、突起部の突出長さを大きくするほど、圧縮された流体がアキシャル吐出ポートから吐出する際の吐出抵抗が増大するといった問題が生じる。
【０００６】
しかしながら、前記特許文献１，２に記載のスクリュー圧縮機では、突起部の突出長さは、アキシャル連通路のシールと吐出抵抗の増大防止との両者を勘案して経験的に設定され、突起部の先端は、雄ロータの軸中心と雌ロータの軸中心とを結ぶ連結直線に平行な簡単な水平線で形成されている。このような突起部の先端形状は、スクリュー圧縮機の性能向上の観点からすれば、必ずしも適切な形状ではない。
【０００７】
本発明は、このような事情に鑑みてなされたものであり、性能向上を図りつつ、アキシャル連通路の効果的なシールと吐出抵抗の増大防止とを実現し得るスクリュー圧縮機を提供することを課題とする。
【課題を解決するための手段】
【０００８】
前記した課題を解決するため、本発明は、螺旋状の歯を有する回転可能な雄ロータ及び雌ロータと、前記雄ロータ及び前記雌ロータを互いに噛み合わせた状態で収納可能なボア、前記ボアに流体を吸入するための吸入ポート、及び前記ボアから圧縮された流体を吐出するための吐出ポートを有するケーシングと、を備え、前記吐出ポートは、前記雄ロータ及び前記雌ロータの軸方向に開口して形成されたアキシャル吐出ポートを有し、前記アキシャル吐出ポートの輪郭の一部が当該アキシャル吐出ポートの中央部に向けて突出するように延びた突起部が、前記ケーシングに形成されており、前記アキシャル吐出ポートの輪郭のうちの前記突起部の先端の輪郭線は、前記雄ロータ側よりも前記雌ロータ側の方が、前記雄ロータの軸中心と前記雌ロータの軸中心とを結ぶ連結直線に対して近付くように傾斜していることを特徴とするスクリュー圧縮機である。
【発明の効果】
【０００９】
本発明によれば、性能向上を図りつつ、アキシャル連通路の効果的なシールと吐出抵抗の増大防止とを実現し得るスクリュー圧縮機を提供することができる。
【図面の簡単な説明】
【００１０】
【図１】本発明の第１実施形態に係るスクリュー圧縮機の概略構成を示す断面図である。
【図２】図１のＡ−Ａ線に沿う軸直角断面図である。
【図３】図１に示されるスクリュー圧縮機が適用された圧縮機ユニットの一例を示す概略構成図である。
【図４】比較例に係るスクリュー圧縮機の図１のＢ−Ｂ線に沿う軸直角断面図である。
【図５】図４に示されるアキシャル吐出ポートの要部拡大図である。
【図６】図４の状態とロータの回転方向の位置（回転角度）が異なる図である。
【図７】本発明の第１実施形態に係るスクリュー圧縮機の図１のＢ−Ｂ線に沿う軸直角断面図である。
【図８】図７の状態とロータの回転方向の位置（回転角度）が異なる図である。
【図９】図７の状態とロータの回転方向の位置（回転角度）が更に異なる図である。
【図１０】本発明の第２実施形態に係るスクリュー圧縮機の図１のＢ−Ｂ線に沿う軸直角断面図である。
【図１１】本発明の第３実施形態に係るスクリュー圧縮機の図１のＢ−Ｂ線に沿う軸直角断面図である。
【図１２】雄ロータの回転角度とアキシャル連通路の漏洩面積との関係を示す図である。
【図１３】突起部の先端の形状を雄ロータ後進面の吐出側端縁の歯形形状で形成する際の雄ロータの回転角度に対して、アキシャル連通路からの漏洩による損失比率と、ロータの溝から圧縮空気を吐出室に吐出する際の吐出抵抗による損失比率とをそれぞれ比較して示す図である。
【図１４】突起部の先端の形状を雄ロータ後進面の吐出側端縁の歯形形状で形成する際の雄ロータの回転角度に対して、漏洩損失と吐出抵抗損失とを合わせた総合損失比率を示す図である。
【発明を実施するための形態】
【００１１】
本発明を実施するための形態（「実施形態」という）について適宜図面を参照しながら詳細に説明する。
【００１２】
≪第１実施形態≫
まず、図１〜９を参照しながら本発明の第１実施形態について説明する。本発明は、スクリュー圧縮機全般に適用可能であるが、以下においては、水潤滑スクリュー圧縮機の例について説明する。
【００１３】
図１は、本発明の第１実施形態に係るスクリュー圧縮機の概略構成を示す断面図である。図２は、図１のＡ−Ａ線に沿う軸直角断面図である。図３は、図１に示されるスクリュー圧縮機が適用された圧縮機ユニットの一例を示す概略構成図である。
【００１４】
図１及び図２に示すように、スクリュー圧縮機１００は、螺旋状の歯を有する回転可能な一対のスクリューロータである雄ロータ１０５及び雌ロータ１０６（以下、「ロータ１０５，１０６」ともいう）を備えており、雄ロータ１０５と雌ロータ１０６とは、互いに噛み合った状態でメインケーシング１０１に設けられたボア１１１，１１２内に収納されている。ロータ１０５，１０６は、メインケーシング１０１及びサブケーシング１０２から構成されるケーシングに設けられた軸受１０８により回転可能に両端が支持されている。なお、図１ではメインケーシング１０１とサブケーシング１０２とは別体となっているが、一体に形成されていてもよい。
【００１５】
各軸受１０８のボア１１１，１１２側には、軸封装置１０９がそれぞれ設けられており、軸受１０８を潤滑する油がボア１１１，１１２側へ漏れるのを防いでいる。ケーシングには、ボア１１１，１１２に空気（流体）を吸入するための吸入ポート１０３と、ボア１１１，１１２から圧縮された空気を吐出するための吐出ポートとが設けられており、吐出ポートは、ロータ１０５，１０６の軸方向に開口して形成されたアキシャル吐出ポート１０４を有している。なお、アキシャル吐出ポート１０４の下流側（図１の右側）が、圧縮完了後の空気が存在する吐出室となっている。
【００１６】
メインケーシング１０１のボア１１１，１１２内に互いに噛み合って収納されているロータ１０５，１０６の隣接する歯間に形成された溝内には、吸入ポート１０３から吸入した空気が充填されていて、ロータ１０５，１０６の図２中矢印方向の回転により溝内の容積が減少することによって空気の圧縮が行われる。
【００１７】
メインケーシング１０１には、空気の圧縮が進んだ雄ロータ１０５、雌ロータ１０６の各溝の位置に開口する水噴射孔１０７が設けられており、該水噴射孔１０７から水が噴射される。水の噴射により、空気の圧縮が行われる圧縮室側から空気の吸入が行われる吸入室側へのロータ１０５，１０６間の隙間を通した空気の漏洩をシールする効果、ロータ１０５，１０６とメインケーシング１０１との間の隙間を通してロータ１０５，１０６の隣接する溝間で生じる漏洩をシールする効果、ロータ１０５，１０６とメインケーシング１０１との冷却効果、及びロータ１０５，１０６間の潤滑の効果が得られる。
【００１８】
図３に示すように、水と一緒に吐出された圧縮空気は、スクリュー圧縮機１００の下方に設けられた水セパレータ１３５内に吐出され、水セパレータ１３５内で旋回することにより、水と空気が分離される。分離された水は、水セパレータ１３５の下部に循環水１３６として貯留される。貯留された水は、その後、給水配管１３７を通り、水クーラ１４２で冷却された後、再び給水配管１３８を通って、水フィルタ１３９を通過した後、スクリュー圧縮機１００内へ供給され、圧縮空気と共に吐出されることで循環する。なお、図３中の符号１４３は、冷却ファンを示す。
【００１９】
水セパレータ１３５で分離された空気は、調圧逆止弁１４１における設定圧を超えると、吐出配管１４０を通って吐出される。吐出空気は、圧縮機ユニット１３０から吐出される前に、ドライヤ１３１のエアクーラ１３２を通過する際に冷却され、水分がドレーンとして除去された乾燥空気が、工場のライン等へ供給される。なお、図３中の白抜き矢印は、空気の流れを示す。
【００２０】
スクリュー圧縮機１００では、容量制御に対して、インバータ駆動によりモータ１３３の回転速度を制御する方法が採られている。また、安価な機種にはサクションアンローダ方式が用いられる。図３において、スクリュー圧縮機１００の吸入ポート１０３には、ピストン１３４ａの先端にバルブ１３４ｂを設けたサクションアンローダ１３４が設けられている。吐出配管１４０から分岐した容量制御用空気配管１４４は、２方に分岐され、一方は減圧弁１４５を通して減圧された空気がピストン１３４ａの背面側に加えられ、ピストン１３４ａを前方（図３の右方）にスライドさせることで吸入ポート１０３は開となり、外部から空気を吸入する。他方は圧力調整弁１４６を介して、設定圧を超えると、空気圧がピストン１３４ａの前面側に加えられ、ピストン１３４ａを後方（図３の左方）にスライドさせ、徐々に吸入ポート１０３は閉じられ、外部から空気を吸入しなくなる。
【００２１】
次に、図４〜図６を参照して、比較例としての従来のアキシャル吐出ポートについて説明する。図４は、比較例に係るスクリュー圧縮機の図１のＢ−Ｂ線に沿う軸直角断面図である。図５は、図４に示されるアキシャル吐出ポートの要部拡大図である。図６は、図４の状態とロータの回転方向の位置（回転角度）が異なる図である。
【００２２】
図４は、サブケーシング１０２の端面に設けられたアキシャル吐出ポート２０４を定める溝形状を実線で示し、これに重ねて、ロータ１０５，１０６の吐出側端面の形状、及びボア１１１，１１２を二点差線で示している。
【００２３】
図５に示すように、アキシャル吐出ポート２０４の輪郭のうち、雄ロータ１０５側の輪郭線は、雄ロータ１０５の溝形状に近似させて、雄ロータ歯底近似曲線１１３と、雄ロータ後進面歯形近似曲線１１５とで形成されており、雌ロータ１０６側の輪郭線は、雌ロータ１０６の溝形状に近似させて、雌ロータ歯底近似曲線１１４と雌ロータ前進面歯形近似曲線１１６とで形成されている。また、アキシャル吐出ポート２０４の中央部には、一方の側端の輪郭線が雌ロータ歯先近似曲線１１７、他方の側端の輪郭線が雄ロータ歯先近似曲線１１８、先端の輪郭線が水平線１１９で形成される突起部（「リップ部」と称することもある）２２６が形成されている。
【００２４】
本明細書において、雄ロータ後進面とは、雄ロータ１０５の回転方向（図２中の矢印方向）と逆方向側の歯面をいい、雌ロータ後進面とは、雄ロータ後進面に対向し得る雌ロータ１０６の歯面をいう。雄ロータ前進面とは、雄ロータ１０５の回転方向側の歯面をいい、雌ロータ前進面とは、雄ロータ前進面に対向し得る雌ロータ１０６の歯面をいう。
【００２５】
比較例に係るアキシャル吐出ポート２０４の輪郭において、突起部２２６の先端の輪郭線を水平線１１９で形成する理由は、次の通りである（特許文献２参照）。
突起部２２６は、圧縮空気の吐出が終了し、ロータ１０５，１０６の吐出側端面において噛合いが外れる過程で、噛み合った雄ロータ１０５の歯面と雌ロータ１０６の歯面との間に生じる吐出室側と吸入室側とを連通する漏洩隙間であるアキシャル連通路１２０をシールするために設けられている。しかし、このアキシャル連通路１２０は、図５の下方から上方に順次隙間面積を増加させながら移動する（図５では、例として幾つかが重ね書きされている）。なお、アキシャル連通路１２０は、始点１２１が雌ロータ１０６の歯先に近い位置に沿って形成され、終点１２２が雄ロータ１０５の歯先に近い位置に沿って形成されるため、図５に示すような形状となっている。ただし、アキシャル連通路１２０は、図５の下方の位置においては、まだ、アキシャル連通路（漏洩隙間）１２０の面積は小さいため、ロータ１０５，１０６の回転が進んで多少連通路面積が大きくなった位置から、シール効果を持たせればよい。また、完全にアキシャル連通路１２０の形成開始からシールするように突起部２２６を形成すると、吐出時におけるロータ１０５，１０６の溝からの圧縮空気の吐出抵抗が増大する。このようなアキシャル連通路１２０のシールと吐出抵抗の増大防止との相反する２つの要求を勘案した中間形状が従来の突起部２２６に採用されている。そのため、突起部２２６の先端の輪郭線は、雄ロータ側の点１２７と雌ロータ側の点１２８とを結ぶ水平線１１９で形成されている。また、図４に示すように、雄ロータ１０５の軸中心１４７と雌ロータ１０６の軸中心１４８とを結ぶ連結直線１４９と、水平線１１９との距離Ｈは、水平線１１９の位置を示すものであるが、経験的に任意の値に設定されていた。
【００２６】
なお、アキシャル吐出ポート２０４の輪郭において、ロータ１０５，１０６の各歯形に近似させた曲線の接続部の輪郭線は、両方の曲線に接続する円弧Ｒ１、Ｒ２、Ｒ３、Ｒ４で形成されている。また、図４及び図５中の符号１１０は、アキシャル吐出ポート２０４の輪郭の一部を成すようにサブケーシング１０２の端面に形成された液圧縮防止用の溝を示す。
【００２７】
図６に示すように、前記した比較例に係る従来のアキシャル吐出ポート２０４での吐出行程においては、吐出時におけるロータ１０５，１０６の溝からの圧縮空気の吐出に対して、突起部２２６が流路を塞ぎ、抵抗となる様子がわかる。ここで、アキシャル吐出ポート２０４の面積に対して突起部２２６は大きな面積を占めている。
【００２８】
次に、図７〜図９を参照して、本発明の第１実施形態に係るアキシャル吐出ポートについて説明する。図７は、本発明の第１実施形態に係るスクリュー圧縮機の図１のＢ−Ｂ線に沿う軸直角断面図である。図８は、図７の状態とロータの回転方向の位置（回転角度）が異なる図である。図９は、図７の状態とロータの回転方向の位置（回転角度）が更に異なる図である。なお、図４〜図６に示した比較例と同じ構成については同じ符号を付して重複する説明を省略する。
【００２９】
図７は、サブケーシング１０２の端面に設けられたアキシャル吐出ポート１０４を定める溝形状を実線で示し、これに重ねて、ロータ１０５，１０６の吐出側端面の形状、及びボア１１１，１１２を二点差線で示している。アキシャル吐出ポート１０４は、サブケーシング１０２の端面の溝形状とボア１１１，１１２とが重なった部分として形成される。
【００３０】
図７に示すように、第１実施形態では、アキシャル吐出ポート１０４の輪郭の一部が当該アキシャル吐出ポート１０４の中央部に向けて突出するように延びた突起部１２６の先端形状が、前記した比較例と相違している。すなわち、アキシャル吐出ポート１０４の輪郭のうちの突起部１２６の先端の輪郭線１２３は、雄ロータ１０５側よりも雌ロータ１０６側の方が、雄ロータ１０５の軸中心１４７と雌ロータ１０６の軸中心１４８とを結ぶ連結直線１４９に対して近付くように傾斜している。
【００３１】
また、第１実施形態では特に、突起部１２６の先端の輪郭線１２３は、雄ロータ１０５の雄ロータ後進面、又は雌ロータ１０６の雌ロータ後進面の、吐出側端縁の歯形形状を呈している。つまり、輪郭線１２３は、アキシャル連通路１２０（図５参照）の始点１２１と終点１２２とを結ぶ雄ロータ後進面又は雌ロータ後進面の歯形形状となる。ただし、輪郭線１２３は、雄ロータ後進面又は雌ロータ後進面の歯形形状そのものに限られず、それに近似した曲線であってもよい。
【００３２】
図８に示すように、ロータ１０５，１０６が回転して、アキシャル連通路１２０が突起部１２６の先端の輪郭線１２３よりも図８にて上の位置にあるとき、アキシャル連通路（漏洩隙間）１２０が突起部１２６によりシールされていることがわかる。
【００３３】
図９は、ロータ１０５，１０６の溝がアキシャル吐出ポート１０４に開口している状態を示す。図７〜図９に示した第１実施形態に係る突起部１２６は、図４〜図６に示した比較例に係る突起部２２６に比べて、図５に示す点１２７（アキシャル連通路１２０の始点）と点１２９（アキシャル連通路１２０の終点）と点１２８とを頂点とする先端側の略三角形の部分が除去されている。すなわち、除去された略三角形の部分の面積分、圧縮された空気がアキシャル吐出ポート１０４から吐出する際の吐出抵抗となる面積が比較例の場合よりも縮小されている。
【００３４】
次に、本発明の第１実施形態に係るスクリュー圧縮機１００の作用について説明する。
第１実施形態に係るスクリュー圧縮機１００では、外部から吸入ポート１０３を経て吸入した空気は、ロータ１０５，１０６の隣接する歯間に形成された溝内に吸入され、ロータ１０５，１０６の回転により溝内の容積が減少することによって圧縮される。
【００３５】
ロータ１０５，１０６の溝内の空気が設定圧力に達すると、サブケーシング１０２の端面に設けられたアキシャル吐出ポート１０４から、圧縮行程においてメインケーシング１０１に設けられた水噴射孔１０７から噴射された水と一緒に、吐出される。
【００３６】
前記したように、第１実施形態では、スクリュー圧縮機１００は、ロータ１０５，１０６の軸方向に開口して形成されたアキシャル吐出ポート１０４を有するケーシングを備えており、アキシャル吐出ポート１０４の輪郭の一部が当該アキシャル吐出ポート１０４の中央部に向けて突出するように延びた突起部１２６が、ケーシングに形成されている。アキシャル吐出ポート１０４の輪郭のうちの突起部１２６の先端の輪郭線１２３は、雄ロータ１０５側よりも雌ロータ１０６側の方が、雄ロータ１０５の軸中心１４７と雌ロータ１０６の軸中心１４８とを結ぶ連結直線１４９に対して近付くように傾斜している。
【００３７】
したがって、第１実施形態によれば、突起部１２６の先端の輪郭線は、雄ロータ１０５側よりも雌ロータ１０６側の方が連結直線１４９に対して近付くように傾斜して生じるアキシャル連通路１２０（図５参照）と略平行な対応した形状となる。これにより、アキシャル連通路１２０を効果的にシールすると共に、突起部１２６の面積を極力縮小して圧縮空気がアキシャル吐出ポート１０４から吐出する際の吐出抵抗を低減することが可能となり、スクリュー圧縮機１００の性能向上が図られる。
すなわち、性能向上を図りつつ、アキシャル連通路１２０の効果的なシールと吐出抵抗の増大防止とを実現し得るスクリュー圧縮機１００を提供することができる。
【００３８】
また、第１実施形態では、輪郭線１２３は、アキシャル連通路１２０の始点１２１と終点１２２とを結ぶ雄ロータ後進面又は雌ロータ後進面の吐出側端縁の歯形形状を呈しているため、アキシャル連通路１２０をより効果的にシールすると共に、吐出抵抗をより低減することが可能となる。
【００３９】
≪第２実施形態≫
次に、図１０を参照しながら本発明の第２実施形態について説明する。
図１０は、本発明の第２実施形態に係るスクリュー圧縮機の図１のＢ−Ｂ線に沿う軸直角断面図である。図１〜図９に示したものと同じ構成については同じ符号を付して重複する説明を省略し、主に第１実施形態と相違する点について説明する。
【００４０】
図１０に示すように、第２実施形態では、アキシャル吐出ポート１０４ａの輪郭の一部が当該アキシャル吐出ポート１０４ａの中央部に向けて突出するように延びた突起部１２６ａの先端形状が、前記した第１実施形態（図７参照）と相違している。すなわち、アキシャル吐出ポート１０４ａの輪郭のうちの突起部１２６ａの先端の輪郭線１２４は、雄ロータ１０５側よりも雌ロータ１０６側の方が連結直線１４９に対して近付くように傾斜する任意形状の曲線である。この場合、輪郭線１２４は、アキシャル連通路１２０（図５参照）の始点１２１からアキシャル連通路１２０の終点１２２を結ぶ曲線で構成されることが望ましい。このような第２実施形態によれば、第１実施形態と同様の効果が得られるほか、突起部１２６ａの先端形状を簡略化でき、加工の容易化及び低コスト化が図られる。
【００４１】
≪第３実施形態≫
次に、図１１を参照しながら本発明の第３実施形態について説明する。
図１１は、本発明の第３実施形態に係るスクリュー圧縮機の図１のＢ−Ｂ線に沿う軸直角断面図である。図１〜図９に示したものと同じ構成については同じ符号を付して重複する説明を省略し、主に第１実施形態と相違する点について説明する。
【００４２】
図１１に示すように、第３実施形態では、アキシャル吐出ポート１０４ｂの輪郭の一部が当該アキシャル吐出ポート１０４ｂの中央部に向けて突出するように延びた突起部１２６ｂの先端形状が、前記した第１実施形態（図７参照）と相違している。すなわち、アキシャル吐出ポート１０４ｂの輪郭のうちの突起部１２６ｂの先端の輪郭線１２５は、雄ロータ１０５側よりも雌ロータ１０６側の方が連結直線１４９に対して近付くように傾斜する直線である。この場合、輪郭線１２５は、アキシャル連通路１２０（図５参照）の始点１２１からアキシャル連通路１２０の終点１２２を結ぶ直線で構成されることが望ましい。このような第３実施形態によれば、第１実施形態と同様の効果が得られるほか、突起部１２６ａの先端形状をより簡略化でき、加工の容易化及び低コスト化がより図られる。
【００４３】
≪第４実施形態≫
次に、図１２〜図１４を参照しながら本発明の第４実施形態について説明する。第１実施形態についての説明は第４実施形態に取り込まれるものとして説明を省略し、主に第１実施形態と相違する点について説明する。
【００４４】
図１２は、雄ロータの回転角度とアキシャル連通路の漏洩面積との関係を示す図である。ここで、ロータ１０５，１０６の吸入側端面（吸入ポート１０３側の端面）において、ロータ１０５，１０６の軸方向にアキシャル吐出ポート１０４側を見て、雄ロータ１０５と雌ロータ１０６とが噛み合って圧縮開始にある雄ロータ１０５の回転方向の位置を示す回転角度を０度（水平位置）とする。そうすると、例えば本実施形態の場合にはロータ１０５，１０６の全巻角が２７０゜なので、雄ロータ１０５の回転角度αｍが２７０゜で、ロータ１０５，１０６の吐出側端面において雄ロータ１０５の先行する歯が連結直線１４９（図７参照）上の水平位置にきて、雌ロータ１０６と噛み合った状態となる。その状態から更に雄ロータ１０５が回転すると、噛合いが外れて、吸入ポート１０３に対してロータ１０５，１０６の溝が開口していく。
【００４５】
図１２に示すように、本実施形態では、雄ロータ１０５の回転角度αｍが３４０゜からアキシャル連通路１２０（図５参照）が形成され始め、吐出室側から吸入室側への漏洩が始まる。そして、雄ロータ１０５の回転角度αｍが３４７゜位から徐々にアキシャル連通路１２０の開口面積（漏洩面積Ｓ）が増している。
【００４６】
図１３は、突起部の先端の形状を雄ロータ後進面の吐出側端縁の歯形形状で形成する際の雄ロータの回転角度に対して、アキシャル連通路からの漏洩による損失比率と、ロータの溝から圧縮空気を吐出室に吐出する際の吐出抵抗による損失比率とをそれぞれ比較して示す図である。ここで、損失比率は、突起部１２６の先端の形状を雄ロータ１０５の回転角度αｍが３４０°の位置にある雄ロータ後進面の吐出側端縁の歯形形状とした場合のスクリュー圧縮機の性能（全断熱効率）を基準とした場合の損失の比率である。
【００４７】
図１３に示すように、アキシャル連通路１２０からの漏洩による損失は、突起部１２６の先端の形状を定める雄ロータ１０５の回転角度αｍが大きくなるほど、増大する。一方、吐出抵抗による損失は、突起部１２６の先端の形状を定める雄ロータ１０５の回転角度αｍを大きくするほど、低減する。
【００４８】
図１３の丸印は、漏洩損失についての試験結果を示し、菱形は吐出損失についての試験結果を示す。試験は、突起部１２６の先端の形状を定める雄ロータ１０５の回転角度αｍが３４０゜の場合（完全にアキシャル連通路１２０を遮断した場合）と、その結果を検討して設定した雄ロータ１０５の回転角度αｍが３４７゜の場合（アキシャル連通路１２０からの漏洩損失による性能低下が許容できる雄ロータ１０５の回転角度位置）と、更にその結果を検討して設定した雄ロータ１０５の回転角度αｍが３５５゜の場合（吐出抵抗を十分に低減可能な雄ロータ１０５の回転角度位置）について実施した。
【００４９】
前記試験の結果から、突起部１２６の先端の形状を定める雄ロータ１０５の回転角度αｍが３４０゜の場合では、漏洩損失は最小であるが、吐出行程において高圧が発生し、吐出抵抗損失が顕著であった。次に、雄ロータ１０５の回転角度αｍが３４７゜の場合では、漏洩損失に大きな増加は見られず、吐出行程における高圧の発生は低減する傾向がみられ、吐出抵抗の低下による性能向上が図れた。更に、吐出抵抗の低下を目指した雄ロータ１０５の回転角度αｍが３５５゜の場合では、吐出抵抗は大幅に低減され、吐出行程の高圧発生は低下したが、漏洩損失が大きく増加したため、性能は低下する傾向を示した。
【００５０】
図１４は、突起部の先端の形状を雄ロータ後進面の吐出側端縁の歯形形状で形成する際の雄ロータの回転角度に対して、漏洩損失と吐出抵抗損失とを合わせた総合損失比率を示す図である。
【００５１】
図１４に示すように、総合損失比率の目標値Ｋを達成できる最適な突起部１２６の先端形状を定める雄ロータ後進面歯形は、雄ロータ１０５の回転角度αｍで表わすと３４２゜〜３５３゜であることがわかる。換言すれば、最適な突起部１２６の先端形状を定める雄ロータ後進面歯形は、吐出側端面において連結直線１４９上の噛合い位置（水平位置）から雄ロータ１０５の回転方向に対して雄ロータ１０５の回転角度が−１８°〜−７°の位置にある雄ロータ後進面歯形である。
【００５２】
図１２〜図１４に示した試験結果に基づいて、第４実施形態では、突起部１２６の先端の輪郭線は、雄ロータ１０５と雌ロータ１０６との吐出側端面における連結直線１４９上の噛合い位置から雄ロータ１０５の回転方向に対して雄ロータ１０５の回転角度が−１８°〜−７°の位置にある、雄ロータ後進面又は雌ロータ後進面の吐出側端縁の歯形形状を呈している。
【００５３】
このような第４実施形態によれば、第１実施形態と同様の効果が得られるほか、突起部１２６の先端の形成位置を、吐出室から吸入室へのアキシャル連通路１２０を通じた空気の漏洩の増加による性能の低下と、ロータ１０５，１０６の溝から吐出室への圧縮空気の吐出抵抗の低下による性能の向上とを総合的に考慮して設定したことにより、スクリュー圧縮機の性能向上を最大限に得ることが可能となる。
【００５４】
以上、本発明について、実施形態に基づいて説明したが、本発明は、各実施形態に記載した構成に限定されるものではなく、各実施形態に記載した構成を適宜組み合わせ乃至選択することを含め、その趣旨を逸脱しない範囲において適宜その構成を変更することができるものである。
【００５５】
例えば、前記した実施形態では、水潤滑スクリュー圧縮機について説明したが、本発明はこれに限定されるものではなく、各種のスクリュー圧縮機に適用可能である。また、圧縮対象の流体は、空気に限定されるものではなく、他の気体や液体であってもよい。
【００５６】
また、前記した第４実施形態では、突起部１２６の先端の輪郭線が、雄ロータ１０５と雌ロータ１０６との吐出側端面における連結直線１４９上の噛合い位置から雄ロータ１０５の回転方向に対して雄ロータ１０５の回転角度が−１８°〜−７°の位置にある、雄ロータ後進面又は雌ロータ後進面の吐出側端縁の歯形形状を呈している場合について説明したが、本発明はこれに限定されるものではない。つまり、突起部１２６の先端の輪郭線は、雄ロータ１０５と雌ロータ１０６との吐出側端面における連結直線１４９上の噛合い位置から雄ロータ１０５の回転方向に対して雄ロータ１０５の回転角度が−１８°〜−７°の位置にある、雄ロータ後進面又は雌ロータ後進面の吐出側端縁の歯形形状の集合により規定される範囲内に存在するように構成されてもよく、この場合の突起部１２６の先端の輪郭線は、前記範囲内に存在する任意の曲線又は直線を含むものである。
【符号の説明】
【００５７】
１００  スクリュー圧縮機
１０１  メインケーシング（ケーシング）
１０２  サブケーシング（ケーシング）
１０３  吸入ポート
１０４，１０４ａ，１０４ｂ  アキシャル吐出ポート
１０５  雄ロータ
１０６  雌ロータ
１１１，１１２  ボア
１２０  アキシャル連通路
１２３，１２４，１２５  輪郭線
１２６，１２６ａ，１２６ｂ  突起部
１３０  圧縮機ユニット
１４７  雄ロータの軸中心
１４８  雌ロータの軸中心
１４９  連結直線
αｍ    回転角度
【図１】
0005775016.tif 000002
【図２】
0005775016.tif 000003
【図３】
0005775016.tif 000004
【図４】
0005775016.tif 000005
【図５】
0005775016.tif 000006
【図６】
0005775016.tif 000007
【図７】
0005775016.tif 000008
【図８】
0005775016.tif 000009
【図９】
0005775016.tif 000010
【図１０】
0005775016.tif 000011
【図１１】
0005775016.tif 000012
【図１２】
0005775016.tif 000013
【図１３】
0005775016.tif 000014
【図１４】
0005775016.tif 000015